(57)【特許請求の範囲】
【請求項１】
物干し対象物の吊部を有する物干し基体と、その基端部が前記物干し基体の離隔した位置に枢支され、先端部が鉤形をなすように内向きに曲がっている一対の掛止杆と、これら掛止杆を、夫々の先端部が相互に引寄せられる向きに付勢する付勢ばねとを具備する物干し具において、前記一対の掛止杆は、相互に枢支軸線方向に離隔する一対の枢支部と、一対の枢支部から立上がる一対の立上部と、一対の立上部の先端を橋絡する杆状の橋絡部と、該橋絡部の長手方向の複数箇所から前記一対の掛止杆の間で相互に干渉しない間隔を隔てて前記一対の立上部の延長側に延びる複数の前記先端部とを具備することを特徴とする物干し具。
【請求項２】
前記一対の掛止杆の一対の枢支部は、前記一対の立上部に対し互いに近寄る側に突出されており、前記一対の立上部は、枢支部側の間隔が橋絡部側の間隔より大きくなる略台形状に構成されて、該一対の立上部の外側に、ばね掛溝を有するばね受片が夫々突設されており、前記先端部は、前記橋絡部から延びて略半円形に湾曲する板状に構成されて、該先端部の中途に抜き孔が設けられており、前記先端部の先端に、該先端部より狭幅であり先端が尖っている先尖り片が突設されている請求項１記載の物干し具。
【発明の詳細な説明】
【０００１】
【発明の属する技術分野】
本発明は、主として洗濯物を干すための物干し具、詳しくは、鴨居の間仕切り壁に対する突出端部に掛止することができる物干し具に関する。
【０００２】
【従来の技術】
一般に、洗濯物を干すための物干し具は、洗濯物の一部を挾んで固定する吊部を備えた物干し基体に、物干し竿などの適宜部材に掛止される掛止部が設けられた構成となっている。また、前記掛止部としては、図示しないが、略半円形に湾曲し前記適宜部材に片側から掛け止めする先端部をもったフック形式と、一つの枢支部から相互に離隔しながら略半円形に湾曲し、前記適宜部材を両側から挾持する一対の先端部をもった挾持形式と、前記適宜部材に挿通するループ部をもったループ形式とが一般に知られている。
【０００３】
【発明が解決しようとする課題】
ところが、以上の如く構成された従来の物干し具は、何れも物干し竿などの適宜部材に掛止することを目的として前記掛止部が、フック形式及び挾持形式並びにループ形式に形成されているため、例えば引き戸・障子などの間仕切り戸の上端部をガイドする鴨居を利用し、該鴨居の間仕切り壁に対する突出端部に物干し具を掛止するような場合、前記フック形式のものでは、鴨居に対し片掛けとなり、しかも鉤部の先端が当接するだけとなるため、不用意に鴨居から外れ易いという不具合がある。また、既存の前記挾持形式のものでは、一つの枢支部を支点として相互に離隔する一対の鉤部を鴨居の幅以上に亘って離隔させることができないため、鴨居に吊すことができなかったのである。
【０００４】
また、この挾持形式のものにおいて、各鉤部の先端から枢支部までの長さを前記鴨居の幅に対応した長さに形成して、鴨居の間仕切り壁に対する突出端部に鉤部の先端を掛止することができるようにした場合においては、各鉤部の鴨居への掛止点が、前記一つの枢支部を通る鉛直線に対し鉤部が相互に離隔する側に位置することになるため、各鉤部の先端に作用する分力の向きが鴨居に対し離隔する向きとなり、さらに各鉤部の先端から前記鉛直線までの距離が所定以上に長くなり、これに伴い前記離隔する向きの分力が大きくなって鴨居に対し外れ易くなるという不具合がある。また、ループ形式のものでは、ループ部を鴨居に挿通することができないという不具合がある。
【０００５】
本発明は、上述のような事情に鑑みてなされたものであり、先端部が鉤形をなすように内側に曲がっている一対の掛止杆を相互に離隔した位置に枢支し、これら掛止杆を付勢する付勢ばねを備えることにより、鴨居の間仕切り壁に対する突出端部に容易に掛止することができて、しかも、この掛止部が鴨居から外れ難いようにすることができる物干し具を提供することを目的とする。
【０００６】
【課題を解決するための手段】
本発明の第１発明に係る物干し具は、物干し対象物の吊部を有する物干し基体と、その基端部が前記物干し基体の離隔した位置に枢支され、先端部が鉤形をなすように内向きに曲がっている一対の掛止杆と、これら掛止杆を、夫々の先端部が相互に引寄せられる向きに付勢する付勢ばねとを具備する物干し具において、前記一対の掛止杆は、相互に枢支軸線方向に離隔する一対の枢支部と、一対の枢支部から立上がる一対の立上部と、一対の立上部の先端を橋絡する杆状の橋絡部と、該橋絡部の長手方向の複数箇所から前記一対の掛止杆の間で相互に干渉しない間隔を隔てて前記一対の立上部の延長側に延びる複数の前記先端部とを具備することを特徴とする。
【０００７】
第１発明にあっては、各掛止杆が、離隔した位置に枢支されているから、各掛止杆の各先端部が鴨居の間仕切り壁に対する突出端部に掛止されたとき、各先端部の鴨居への掛止点を、各掛止杆の枢支部を通る鉛直線に対し前記付勢ばねの付勢側に位置させることができて、各先端部に、これら先端部が相互に引き寄せられる向きの分力を作用させ得るのである。従って、前記付勢ばねの力と相俟って鴨居に対し外れ難くでき、物干し具が鴨居から不用意に落ちるのを防止できるのである。また、掛止杆は、その基端部が離隔した位置に枢支されているから、各掛止杆を両手に摘んで離隔する向きに揺動させることにより各先端部を鴨居の幅以上に容易に離隔させることができる。
また、各掛止杆における先端部が相互に干渉しないようになっているため、鴨居に対し不用意に外れることなく容易に掛止することができる構成でありながら、物干し竿を両側から挾持するようにして物干し竿に掛止することができ、物干し竿に対しても不用意に外れるのを防止できるのである。また、第１及び第２掛止杆は、一対の枢支部及び立上部と橋絡部と先端部とを備えているから、各掛止杆部分の通風性を良好にできるのであり、さらに、図１及び図４に示すように物干し基体が枠形であり、多数の吊部を備えた構成とした場合においても、適宜部材に安定性よく掛止することができるのである。
【００１０】
本発明の第２発明に係る物干し具は、前記一対の掛止杆の一対の枢支部は、前記一対の立上部に対し互いに近寄る側に突出されており、前記一対の立上部は、枢支部側の間隔が橋絡部側の間隔より大きくなる略台形状に構成されて、該一対の立上部の外側に、ばね掛溝を有するばね受片が夫々突設されており、前記先端部は、前記橋絡部から延びて略半円形に湾曲する板状に構成されて、該先端部の中途に抜き孔が設けられており、前記先端部の先端に、該先端部より狭幅であり先端が尖っている先尖り片が突設されていることを特徴とする。
【００１１】
第２発明にあっては、各掛止杆における先端部の略半円形部分を物干し竿に適合させることができるから、物干し竿に掛止する場合、該物干し竿に対しより一層外れ難くできる。また、各先端部は、板状に構成されているから、鴨居に掛止した場合においても、先端部の略半円形部分から折損するのを有効に防止することができ、また、板状に構成され先端部の中途には抜き孔が設けられているから、先端部の通風性を良好にでき、前記一対の立上部及び橋絡部を有する構成と相俟って風による鳥居からの外れをより一層有効に防止できる。また、先端部の先端には先尖り片を突設しているから、各先端部を広幅としたにも拘らず、鴨居との接触幅を小さくでき、先尖り片に荷重を集中させることができる。また、各掛止杆の各枢支部は、各立上部に対し互いに近寄る側に突出させているから、物干し基体に容易に枢支することができて、しかも、物干し基体に対し外れ難くできる。また、各立上部は、枢支部側の間隔が橋絡部側の間隔より大きくなる略台形状に構成されているから、物干し基体が枠形であり多数の吊部を備えた構成とした場合においても、物干し基体の各掛止杆に対する安定性を良好にでき、橋絡部の荷重に対する変形等を有効に防止できる。また、掛止杆の先端部が相互に引寄せられるようにする付勢ばねを、各立上部に突設したばね受片のばね掛溝に係止することができ、付勢ばねの各立上部に対する外れを有効に防止できる。
【００１２】
【発明の実施の形態】
以下本発明をその実施の形態を示す図面に基づき具体的に説明する。
図１は本発明に係る物干し具の構成を示す斜視図、図２はその正面図、図３は半分を省略した側面図、図４は平面図である。この物干し具は、洗濯物等の物干し対象物の一部を挾んで固定する吊部１を有する物干し基体２に、鴨居・物干し竿などの適宜部材に掛止される掛止部Ａが設けられた構成となっている。この掛止部Ａは、基端部が相互に離隔した位置に枢支され、先端部が鉤形をなすように内向きに曲がっている一対の第１及び第２掛止杆３，４と、これら掛止杆３，４を、夫々の先端部３５，４５が相互に引寄せられる向きに付勢する一対の付勢ばね５，５とを備えた構成となっている。
【００１３】
物干し基体２は、大・中・小三つの略逆コの字形枠部片２１ａ，２１ｂ，２１ｃ及びこれら枠部片２１ａ〜２１ｃを相互に離隔して段違い状に連結する複数の内側連結部片２１ｄ・外側連結部片２１ｅを有する第１枠体２Ａと、大・中・小三つの略コの字形枠部片２２ａ，２２ｂ，２２ｃ及びこれら枠部片２２ａ〜２２ｃを相互に離隔して段違い状に連結する複数の内側連結部片２２ｄ・外側連結部片２２ｅを有する第２枠体２Ｂと、これら枠体２Ａ，２Ｂの一側を相互に折畳み可能に連結する二つの枢支ピン２３，２３とを備えて構成されており、図１，図４のように枢支ピン２３，２３を支点として展開したとき、各枠体２Ａ，２Ｂの一側端同士が突合せ状に当接して展開状態を維持でき、また、図示していないが枢支ピン２３，２３を支点として折畳んだとき、各枠体２Ａ，２Ｂ同士が重なるようになっており、また、各枠体２Ａ，２Ｂにおける二つの内側連結部片２１ｄ，２２ｄには、図１，図４のように相互に離隔した一対の受止部２４，２５が夫々突設されており、さらに前記各枠部片２１ａ〜２１ｃ及び２２ａ〜２２ｃには、前記吊部１を着脱可能に係止するための多数の係止部２６・・が列設されている。尚、前記各受止部２４，２５は、前記各掛止杆３，４の基端部を受入れる挿通孔をもち、各枠体２Ａ，２Ｂとともに合成樹脂により一体に成型されている。
【００１４】
第１及び第２掛止杆３，４は、図１，図３〜図５に示すように、相互に枢支軸線方向に離隔する一対の枢支部３１，３１及び４１，４１と、各枢支部３１，４１から立上がる夫々一対の立上部３２，３３及び４２，４３と、各立上部３２，３３及び４２，４３の先端を橋絡する第１及び第２橋絡部３４，４４と、該橋絡部３４，４４から相互に干渉しない間隔を隔てて前記各立上部３２，３３及び４２，４３の延長側に伸びる複数個（図では各２個）の先端部３５，３５及び４５，４５とを備え、合成樹脂により一体に成型されて、各枢支部３１，４１を前記受止部２４，２５に着脱可能に挿嵌結合している。前記枢支部３１，３１及び４１，４１と立上部３２，３３及び４２，４３及び橋絡部３４，４４とは互いに連続する一つの杆状に成形され、さらに前記先端部３５，４５も一体に成形されている。各枢支部３１，４１は、各立上部３２，３３及び４２，４３に対し互いに近寄る側に突出されて、各受止部２４，２５に挿嵌結合したとき、各立上部３２，３３及び４２，４３の基端部が各受止部２４，２５の一端に当接して、物干し基体２に対し外れ難いようにしている。各立上部３２，３３及び４２，４３は、枢支部側の間隔が橋絡部側の間隔より大きくなる略台形状に構成されている。また、各掛止杆３，４の物干し基体２への結合は、各立上部３２，３３及び４２，４３を互いに離隔する側に弾性変位させて枢支部３１，４１を、その遊端から受止部２４，２５に挿嵌することにより結合することができる。
【００１５】
鉤形をなす各先端部３５及び４５は、前記橋絡部３４，４４から伸びて略半円形に湾曲する板状に構成されて、該先端部３５，４５の中途に抜き孔３５ａ，４５ａを設け、先端に、先端部３５，４５よりも狭幅であり先端が尖っている先尖り片３５ｂ，４５ｂを突設している。
【００１６】
また、第１橋絡部３４に対し他方側立上部３３の外側と、第２橋絡部４４に対し一方側立上部４２の外側とには、環状のばね掛溝を有する第１ばね受片３６，４６を突設し、第１橋絡部３４に対し一方側立上部３２の外側と、第２橋絡部４４に対し他方側立上部４３の外側とには、環状のばね掛溝を有する第２及び第３ばね受片３７，３８及び４７，４８を適宜間隔を隔てて突設し、各第１ばね受片３６，４６のばね掛溝と第２ばね受片３７，４７のばね掛溝との間に前記付勢ばね５，５を夫々張設し、各掛止杆３，４の先端部３５，４５が相互に引き寄せられるようになっている。
【００１７】
各付勢ばね５は、図２に示すように、コイル部５１の両端側に、前記各ばね受片３６〜３８及び４６〜４８に挿嵌係止可能な第１及び第２巻回部５２，５３を備え、さらに第２巻回部５３に連続するループ状の摘み部５４を備えたコイルばねからなり、摘み部５４を把持して第２巻回部５３を前記第１ばね受片３６，４６又は第３ばね受片３８，４８に挿嵌係止することができるようにしている。図１及び図２のように第２巻回部５３を前記第１ばね受片３６，４６に挿嵌係止することにより、各掛止杆３，４の先端部３５，４５が相互に引き寄せられるのであり、また、図示していないが第２巻回部５３を第３ばね受片３８，４８に挿嵌係止することにより、各掛止杆３，４には付勢ばね５の力が作用しないのである。
【００１８】
前記吊部１は、図８及び図９に示すように、洗濯物等の物干し対象物の一部を挾んで固定する物干し挾み１０と、該物干し挾み１０を前記物干し基体２に懸吊する吊り杆１０Ａとを備えて構成されており、物干し挾み１０は、長さ方向中途部に凹凸状の第１及び第２接合部１１ａ，１１ｂを有し、これら接合部１１ａ，１１ｂが相対回動自在に接合された所定長さの第１及び第２挾持部材１１，１１と、これら挾持部材１１，１１夫々の一端部に回転自在に支持される回転体１２と、各挾持部材１１，１１間の一端側を近接させる向きに付勢する略Ｃ字形のリングばね１３とを備えて構成されており、前記リングばね１３の中間部に、前記吊り杆１０Ａの基端部を挿通保持し、該吊り杆１０Ａの先端部を、前記物干し基体２における各係止部２６・・に着脱可能に挿嵌係止している。また、各挾持部材１１，１１の各第１接合部１１ａには、各挾持部材１１，１１の一端方向への相対的な位置ずれを防止する位置ずれ防止片１１ｃを突設して、各挾持部材１１，１１の回転体１２間に挾み込まれた物干し対象物が鉛直線に対し斜めに引張つて外されるような場合に、一方の挾持部材１１が他方の挾持部材１１に対し前記接合部１１ａ，１１ｂにおいて位置ずれするのを防止するようにしている。
【００１９】
上述の如く構成された物干し具は、図２の実線及び一点鎖線並びに図１に示すように、鴨居Ｋに掛止したり、又は、図２の二点鎖線に示すように、物干し竿Ｓに掛止したりするのであって、鴨居Ｋに掛止する場合、付勢ばね５の第２巻回部５３が第１ばね受片３６，４６に挿嵌係止されて、各掛止杆３，４の先端部３５，４５が相互に引き寄せられるようになる。また、物干し竿Ｓに掛止する場合、付勢ばね５の第２巻回部５３が第３ばね受片３８，４８に挿嵌係止されて、各掛止杆３，４に付勢ばね５の力が作用しないようになる。
【００２０】
図２の実線及び一点鎖線並びに図１に示すように、鴨居Ｋに掛止する場合、掛止部Ａの第１及び第２掛止杆３，４を相互に離隔する向きに揺動させるのであるが、これら掛止杆３，４は、その基端部が離隔した位置に枢支されているから、各掛止杆３，４を両手に摘んで相互に離隔する向きに揺動させることにより各先端部３５，４５の先尖り片３５ｂ，４５ｂ間を鴨居Ｋの幅以上に容易に離隔させることができるのである。従って、各掛止杆３，４における先端部３５，４５の先尖り片３５ｂ，４５ｂを鴨居Ｋの間仕切り壁に対する突出端部Ｋ’の隅部に容易に掛止することができる。
【００２１】
また、鴨居Ｋに掛止したとき、図２に示すように各掛止杆３，４における先端部３５，４５の鴨居Ｋへの掛止点Ｐを、枢支部３１，４１を通る鉛直線Ｚに対し前記付勢ばね５の付勢側に位置させ得るから、各掛止杆３，４における先端部３５，４５の先尖り片３５ｂ，４５ｂに、先端部３５，４５が相互に引き寄せられる向きの分力を作用させ得るのであり、従って、前記付勢ばね５の力と相俟って鴨居Ｋに対し外れ難くでき、物干し具が鴨居Ｋから不用意に落ちるのを防止できるのである。また、鴨居Ｋの幅寸法と前記各掛止杆３，４の枢支部３１，４１間の間隔との関係により、鴨居Ｋに掛止したとき、先端部３５，４５における先尖り片３５ｂ，４５ｂの鴨居Ｋへの掛止点Ｐが、枢支部３１，４１を通る鉛直線Ｚに対し前記付勢ばね５の付勢側と反対側に位置して、各先端部３５，４５の先尖り片３５ｂ，４５ｂに、先端部３５，４５が相互に離隔する向きの分力が作用する場合においても、各先端部３５，４５の先尖り片３５ｂ，４５ｂから前記鉛直線Ｚまでの距離Ｈを所定以上に短くできるから、前記付勢ばね５の力と相俟って鴨居Ｋに対し外れ難くでき、物干し具が鴨居Ｋから不用意に落ちるのを防止できるのである。
【００２２】
また、前記各先端部３５，４５は、板状に構成されているから、各先端部３５，４５の先尖り片３５ｂ，４５ｂを鴨居Ｋに掛止した場合、先端部３５，４５の略半円形部分から折損するのを有効に防止することができる。また、鴨居Ｋの間仕切り壁に対する突出端部Ｋ’の隅部には、先端部３５，４５よりも狭幅の先尖り片３５ｂ，４５ｂを食込状に係合させるようにしているから、各先端部３５，４５を広幅としたにも拘らず、鴨居Ｋとの接触幅を小さくでき、先尖り片３５ｂ，４５ｂに荷重を集中させることができるのであり、従って、鴨居Ｋへの掛止部を中心として物干し具全体が捩じれるような外力が作用した場合においても、鴨居Ｋに対し外れ難くできる。
【００２３】
また、図２の二点鎖線に示すように、物干し竿Ｓに掛止する場合、掛止部Ａにおける第１及び第２掛止杆３，４の各先端部３５，４５は、第１及び第２橋絡部３４，４４から相互に干渉しない間隔を隔てて設けられているから、鴨居Ｋに対し不用意に外れることなく容易に掛止することができる構成でありながら、物干し竿Ｓを両側から挾持するようにして物干し竿Ｓに掛止することができるのである。また、各先端部３５，４５は、板状に構成されて、その略半円形部分を物干し竿Ｓに適合させることができるから、挾持形式の構成と相俟って物干し竿Ｓから不用意に外れるのを防止できる。また、物干し竿Ｓに掛止する場合には、各掛止杆３，４に付勢ばね５の力が作用しないから、物干し竿Ｓに対する吊り下げ及び取外し作業を容易にできるのである。
【００２４】
また、物干し基体２は、枠体２Ａ，２Ｂが相互に折畳み可能に連結された大形であり、さらに多数の吊部１が設けられている構成でありながら、第１及び第２掛止杆３，４により適宜部材に掛止する構成とし、これら第１及び第２掛止杆３，４を、一対の枢支部３１，３１及び４１，４１と、一対の立上部３２，３３及び４２，４３と、橋絡部３４，４４と、先端部３５，４５とを備えているから、鴨居Ｋ及び物干し竿Ｓに安定性よく掛止することができるのである。
【００２５】
尚、以上説明した実施形態の物干し具は、第１及び第２掛止杆３，４の間に付勢ばね５を張設したが、その他、この付勢ばね５は、物干し基体２と第１掛止杆３との間及び物干し基体２と第２掛止杆４との間に張設してもよい。
【００２６】
また、以上説明した実施形態の物干し具は、第１及び第２掛止杆３，４に夫々二つの先端部３５，３５及び４５，４５を設けた構成としているが、第１及び第２掛止杆３，４の先端部３５，４５は夫々一つであってもよい。
【００２７】
【発明の効果】
第１発明に係る物干し具によれば、鉤形をなすように内側に曲がっている先端部を有する掛止杆が、離隔した位置に枢支されていて、先端部を鴨居の間仕切り壁に対する突出端部に掛止したとき、各掛止杆の先端部に、先端部が相互に引き寄せられる向きの分力を作用させ得るから、付勢ばねの力と相俟って鴨居に対し外れ難くでき、物干し具が鴨居から不用意に落ちるのを防止できるのである。しかも、各掛止杆は、その基端部が離隔した位置に枢支されているから、各掛止杆を両手に摘んで離隔する向きに揺動させることにより各先端部間を鴨居の幅以上に容易に離隔させることができ、従って、鴨居の間仕切り壁に対する突出端部に容易に掛止することができる。
また、各掛止杆の各先端部は、各橋絡部から相互に干渉しない間隔を隔てて設けられているから、鴨居に対し不用意に外れることなく容易に掛止することができる構成でありながら、物干し竿を両側から挾持するようにして物干し竿に掛止することができ、物干し竿に対しても不用意に外れるのを防止できるのである。また、各掛止杆は、一対の枢支部及び立上部と橋絡部と先端部とを備えているから、各掛止杆部分の通風性を良好にでき、鴨居に係止する場合においても、風による外れを有効に防止できるし、さらに、図１及び図４に示すように物干し基体が枠形であり多数の吊部を備えた構成とした場合においても、鴨居などの適宜部材に安定性よく掛止することができるのである。
【００２９】
第２発明に係る物干し具によれば、各掛止杆における先端部の略半円形部分を物干し竿に適合させることができて、物干し竿に対しより一層外れ難くでき、しかも、前記各先端部は、板状に構成されているから、鴨居に掛止した場合においても、先端部の略半円形部分から折損するのを有効に防止することができ、さらに板状に構成され先端部の中途に抜き孔が設けられているから、先端部の通風性を良好にでき、前記一対の立上部及び橋絡部を有する構成と相俟って風による鴨居からの外れをより一層有効に防止できる。
【００３０】
また、先端部の先端には先端が尖っている先尖り片を突設しているから、各先端部を広幅としたにも拘らず、鴨居との接触幅を小さくでき、先尖り片に荷重を集中させることができるのであり、従って、鴨居への掛止部を中心として物干し具全体が捩じれるような外力が作用した場合においても、鴨居に対し外れ難くできる。また、各掛止杆の各枢支部が、各立上部に対し互いに近寄る側に突出しているから、物干し基体に対し外れ難くできる。また、各立上部は、枢支部側の間隔が橋絡部側の間隔より大きくなる略台形状に構成されているから、物干し基体が枠形であり多数の吊部を備えた構成とした場合においても、物干し基体の各掛止杆に対する安定性を良好にできて、しかも、橋絡部の荷重に対する変形等を有効に防止できる。また、掛止杆の先端部が相互に引寄せられるようにする付勢ばねを、各立上部の外側に突設したばね受片のばね掛溝に係止することができるから、付勢ばねの各立上部に対する外れを有効に防止できるのである。
【図面の簡単な説明】
【図１】本発明に係る物干し具の斜視図である。
【図２】同物干し具の正面図である。
【図３】同物干し具の半分を省略した側面図である。
【図４】同物干し具の平面図である。
【図５】同物干し具における掛止杆のみの側面図である。
【図６】同物干し具における掛止杆のみの背面図である。
【図７】同物干し具における掛止杆のみの平面図である。
【図８】同物干し具における吊部のみの縦断面図である。
【図９】同物干し具における吊部の挾持部材のみの斜視図である。
【符号の説明】
１    吊部
２    物干し基体
３    掛止杆
３１    枢支部
３２，３３    立上部
３４    橋絡部
３５    先端部
３５ａ    抜き孔
３５ｂ    先尖り片
４    掛止杆
４１    枢支部
４２，４３    立上部
４４    橋絡部
４５    先端部
４５ａ    抜き孔
４５ｂ    先尖り片
５    付勢ばね
Ａ    掛止部
【図１】
0003653683.tif 000002
【図２】
0003653683.tif 000003
【図３】
0003653683.tif 000004
【図４】
0003653683.tif 000005
【図５】
0003653683.tif 000006
【図６】
0003653683.tif 000007
【図７】
0003653683.tif 000008
【図８】
0003653683.tif 000009
【図９】
0003653683.tif 000010